(57)【要約】【課題】二つ折り木枠を折り曲げる過程で、無理な力や歪が残らないように、左右の木枠の姿勢を同時に機械的に制御することにより、張りキャンバスの二つ折りを、手軽に容易にしかも安全に実現する手段を提供する。【解決手段】左右２個に分割され部分木枠と、それらの中間に配置した連結手段より構成され、連結手段は両端を部分木枠に取付けるための左右二個の取付部材と、中央に配した幅のある一枚の板ばねより構成され、キャンバス面を内側に折り曲げた際には、連結手段の板ばねが半円形に湾曲することにより、キャンバスならびに絵肌を傷めることなく、安全な二つ折りを実現する。【選択図】図２
2007216597.tif 000002
【特許請求の範囲】
【請求項１】
左右の部分木枠と、それらの中間に配置した一個ないし複数個の連結手段により構成され、連結手段は両端を部分木枠に取付けるための左右二個の取付部材と、中央に配した幅のある平板状弾性体により構成され、キャンバス面を内側に折り曲げる際には、連結手段の平板状弾性体が半円形に湾曲することにより、安全な二つ折りを可能とした張りキャンバス用木枠。
【発明の詳細な説明】
【技術分野】
【０００１】
この発明は絵画用などのキャンバスを張るための木枠の構成に関し、特に二つ折りが可能な木枠の構成に関する。
【背景技術】
【０００２】
木枠による張りキャンバスは油彩画で伝統的に使用されている。張りキャンバスは一般に折曲げ不可能であるから、絵画で６０号以上の大作は多くの場合、その移送に大型の自動車などを必要とする。運送のために一旦キャンバスを木枠から取り外し、キャンバスをロール状に巻くなどして形を小さくし、目的地で再度木枠に貼り付ける方法なども一部で採用されているが、この方法だと分解と組み立てに可なり手間がかかる（特許文献１参照）。  
【０００３】
キャンバスを木枠に張ったままの状態で二つ折りにできれば、輸送時のサイズを約半分にできるので、家庭用の小型車による持ち運びか可能となるなど、多大のメリットが生じる。しかし屏風で知られているような折り曲げ方法では、復元後のキャンバスに折り目や皺が残り、絵肌の品質を著しく損なう。絵肌の品質を損なわないためには、折り曲げる際のキャンバスの曲率に注意し、一定の曲率以下で皺のないなだらかな曲げを実現しなければならない。  
【０００４】
近年この問題の解決を試みた木枠が「二つ折り木枠」ないし「二つ折り金具」等の商品名で大手画材店などで市販されている。図１はその一例を断面図で示したものである。図１によると、この木枠は、左右の二つの部分木枠１０、および１０ａと２個の固定金具７０より構成され、各固定金具７０には取付ける孔が７１よび７２の２種類用意されており、通常は左右の木枠を平面状に並べて、その相対位置を孔７１で固定する。その状態が上段の図である。図中、キャンバス１００の断面が点線で示されている。二つ折りのときは取付金具を一旦完全に取り外したあと、左右の木枠を、適切な間隔で平行に二つ折りした形に再配置したうえで、互いの位置を第二の取付け孔７２で固定するものである。その状態が下段の図である。なお、孔７１の部材と孔７２の部材との間には蝶番７３が介在する。しかしこの方法だと、折り曲げ作業の途中では、左右の木枠が完全に切り離されて自由になり、相対的な姿勢が定まらなくなるから、ともすると折り曲げ区間にあるキャンバスが二つの部分木枠に押しつぶされたり、無理に引っ張られたりする。  
【０００５】
二つ折りのキャンバスに無理な力や歪が残らず、大切な作品を傷めないようにするには、左右二つの木枠の相対位置や姿勢が、二つ折りの途中も常に適切であるように同時に制御する必要があるので、極めて慎重な作業を必要とし、特に大型のキャンバスに関しては、多くの場合２人がかりの作業になる。張りキャンバスの二つ折りを手軽に容易に実現する方法はいまだ実用化されておらず、未解決な課題として今日まで残されてきた。 
【特許文献１】特開２００４−２０３００３号
【発明の開示】
【発明が解決しようとする課題】
【０００６】
本発明の課題は、二つ折りの過程でキャンバスに無理な力や歪が残らないように、左右の木枠の姿勢を同時に機械的に制御することにより、張りキャンバスの二つ折りを、複数の人の手をかけずに、手軽に容易にかつ安全に実現する手段を提供することである。
【課題を解決するための手段】
【０００７】
本発明の実施形態によると、張りキャンバス用木枠は、左右２個の部分木枠と、それらの中間に配置した一個ないし複数個の連結手段により構成され、連結手段は両端を部分木枠に取付けるための左右二個の取付部材と、中央に配した幅のある平板状弾性体により構成され、キャンバス面を内側に折り曲げる際には、連結手段の平板状弾性体が半円形に湾曲することにより、キャンバスならびに絵肌を傷めることなく、安全な二つ折りを可能とする。
【発明の効果】
【０００８】
本発明によれば、折り曲げの過度的な状態において。連結手段がキャンバスを傷める危険がない状態に、常時左右の部分木枠の相対位置と姿勢を自動的に拘束するから、二つ折り作業は多くの場合一人でも実行可能である。また二つ折りの都度、その前後で連結手段を取付け取り外しをする必要がないから作業は簡単になる。さらには、折り曲げ後のキャンバスは、半円形に曲げられた平板状弾性体の面に案内され、適切な曲率で湾曲されるので、折り目、皺等が生ずることがない。
【発明を実施するための最良の形態】
【０００９】
以下、発明の実施例を通じて本発明を説明するが、以下の実施例は特許請求の範囲に係る発明を限定するものではなく、また実施例の中で説明されている特長の組み合わせの全てが発明の解決手段に必須であるとは限らない。
【実施例】
【００１０】
図２は、本発明の実施例に係る二つ折り木枠１をキャンバス面の側から見た正面図である。図３は  図２の二つ折り木枠1の水平断面を上方向から見た図である。また、図４は  図３における連結部付近の断面拡大詳細図である。  
【００１１】
図２において、二つ折り木枠1は、折り曲げ軸が垂直になる方向に配置されている。同図において、二つ折り木枠1は部分木枠左１０、部分木枠右１０ａ、連結部２０および固定具４２により構成され、図２及び図３のごとく、全体として平面状に形成される。なお図３および図４では、木枠１にキャンバス１００を張った場合のキャンバスの位置が点線で示されている。  
【００１２】
部分木枠左１０はキャンバスの左半分を支える木枠である。部分木枠右１０aはキャンバスの右半分を支える木枠である。部分木枠１０はキャンバスの上下の縁を木枠の端面に鋲止めするための上下の枠部材３０、３１と、キャンバスの左側縁を木枠の端面に鋲止めするための垂直の枠部材３３、および木枠の中間を支える中間木枠３４により構成されている。中間木枠３４は部分木枠左１０の右端部に、連結部に必要とされる空間Ｇを設けるべくやや左側に位置し、かつその表面はキャンバスとの間に隙間Ｓを保つように、やや後退した位置に配置される。  
【００１３】
部分木枠１０aはキャンバスの上下の縁を木枠の端面を鋲止めするための上下の枠部材３０a、３１aと、キャンバスの右側縁を木枠の端面に鋲止めするための垂直の枠部材３３a、および木枠の中間を支える中間木枠３４aにより構成されている。中間木枠３４ａは部分木枠左１０ａの左端部に、連結部に必要とされる空間Ｇを残すべくやや右側に位置し、かつその表面がキャンバスとの間に隙間Ｓを保つように、やや後退した位置に配置される。  
【００１４】
連結部２０は左右の中間木枠３４と３４ａの中間に配置され、部分木枠左１０および部分木枠右１０ａを連結する。連結部２０は左右両端を木枠に取付けるための取付部材２２及び２２ａと、中央部に配した板ばね２５により構成されている。連結部２０の板ばね２５は、靭性の高い平板でできており、キャンバスに若干の隙間Ｓを残して全体的に接近する位置に配置される。  
【００１５】
板ばね２５と取付部材２２、２２aとは複数個のリベット２７により固定されている。図４に示されるように、板ばねの両端は若干後ろ側へ曲げられているが、これはリベットの頭等が隙間S部分に張り出さないようにするための配慮である。  
【００１６】
固定具４２は帯状の金具であり、二つ折り木枠の裏側において、部分木枠１０および部分木枠１０aに跨り、両端部をそれぞれ木枠１０および部分木枠１０aに木ネジ等で固定することにより、平板状態にある二つ折り木枠の部分木枠１０と部分木枠１０aの相対位置を確り固定し、平板状態を安定させる。  
【００１７】
以上に示されるように、キャンバスの裏側中央部に配置される部材は、常にキャンバスとの間に若干の隙間Sを保つか、あるいはさらに後退した位置に配置される。隙間Ｓは、筆による押圧が加えられた場合、キャンバスが障害物に妨げられることなく自然に撓み、描画時に滑らかなタッチを与えるために必要とされる。  
【００１８】
さて以上のように構成され、平板状態にある二つ折り木枠1に対してキャンバスを張り付ける作業は、通常の木枠に対するのとほぼ同じ方法による。即ち木枠１の全面に一枚のキャンバス１００を当てがい、その周辺部を木枠３０、３１、３０a、３１a、３３および３３ａに鋲止めする。ただし部分木枠１０と部分木枠１０aの中間における区間Ｇに対応する付近に限り鋲止めを保留しておく。以後この区間を自由区間と呼ぶことにする。  
【００１９】
次に二つ折り木枠１を、キャンバスを張ったままの状態で二つ折りする手順を説明する。先ず最初に、ネジ止めされている固定具４２を取り外す。固定具４２は連結部２０とは異なる位置に独立に固定されているので、単独に取り外すことは容易である。  
【００２０】
次いで、図３において、二つ折り木枠１の左右の枠部材３３および３３aに手をかけ、Fなる外力を与えて手前に引き寄せると、中央の板ばね２５が半円状に湾曲することにより、二つ折り木枠１は、キャンバス面を内側にした二つ折りの状態になる。図５はその状態を示したものである。次いで左右の枠材３３および３３aの間隔を市販のキャンバスクリップ４０等で固定して二つ折りが完成する。以下説明の便宜上、平板状態のキャンバスないし木枠を「開いた状態」、二つ折りにした状態のキャンバスないし木枠を「閉じた状態」と名づけて区別する。  
【００２１】
板ばね２５の湾曲は、部分木枠１０および１０ａのキャンバス面の延長線に接する略滑らかな円弧である。その理由を以下に説明する。図５において、Ｆなる外力を与えた場合、板ばね２５には全長に亘って、FとLの積で与えられる偶力が加わる。ここにLは力Fの作用点から板ばね上の各点までの距離である。板ばね上で、Fの作用点から最も遠い点の距離をLmax、最も近い点の距離をLminとすれば、その差は、高々湾曲した板ばね２５の曲率半径程度であるから、変動率としては小さな値である。従って板ばねにかかる曲げの遇力も、その全長に亘って前記の小さな変動率の範囲内で一定と見なされるから、応力が降伏点に達しない限りは、板ばねは略緩やかな円弧を描く。  
【００２２】
次に、閉じた状態におけるキャンバス１００の形状について説明する。キャンバス１００において、板ばね２５に対面する部分は、湾曲した板ばね２５によって、その態勢が制約されるので、板ばねとキャンバスが略重なり、一体となった形で曲がる。キャンバス１００の湾曲状態の拡大断面図を図６に示す。  
【００２３】
さらに、油彩画の場合で、とりわけ厚塗りされた油彩画の場合は、キャンバスに急な曲げを作ると、絵肌にひび割れや曲げ癖を作る傾向がある。従ってキャンバスを折り曲げる際は、曲げの曲率が過度的にも限界値を超えないよう、換言すれば、曲率半径がいずれの点においても限界値以下の極端な曲げにならないようにすることが肝要である。  
【００２４】
本実施例では、半円弧に湾曲した板ばね２５がキャンバスの曲げ部の案内役となり、その長さを円周率で割った値に相当する曲率半径を与える。また適切な曲率半径が与えられるように、板ばねの長さが決定されていると言いかえても良い。  
【００２５】
キャンバスの湾曲の仕組みを以下にさらに詳しく分析してみよう。図３において、開いた状態の二つ折り木枠1の全体の横幅Ｗは、部分木枠１０の幅と、部分木枠１０aの幅、及び板ばねの長さＢの和となるが、これ等には伸び縮みがないから、Ｗの値は二つ折りによって変化を受けることはない。一方これに対面するキャンバス１００の横幅は、開いた状態では、二つ折り木枠全体の横幅Ｗに一致するが、二つ折りした場合には、キャンバスの経路（以後この経路のことを「パス」と定義する）の全長は、前記全体の横幅Ｗよりも若干短くなる。キャンバスのパスは板ばね付近では、板ばねの内側を回るから、内回りした分だけ短くなる理屈である。  
【００２６】
具体例で示せば、板ばねの厚みは、板ばね２５にバネ鋼板を使用した場合は０．３−０。４ｍｍ程度
、キャンバスの厚みは０．４−０．５ｍｍ程度であるから、湾曲部で両者が重なったときには、外回りの板ばねと、内回りのキャンバスの間に０．３５−０．４５ｍｍ程度の半径差がある。これに円周率を掛けて湾曲部の周長に換算すれば、１．３ｍｍ前後のパスの短縮が算出される。  
【００２７】
キャンバスなど可撓性の材料を案内するパスが、材料自身よりも短い場合には、材料に波うちとか皺ができ易い。絵画用キャンバスの場合はこれ等が折癖となって残り、二つ折り木枠を開いたときにも元に戻らなくなり、絵肌の品質を大いに損なう虞がある。併しながら、本実施例では、この程度のパスの短縮は以下に示す要因により容易に吸収されるので、不規則なたるみや皺などが生じることはない。  
【００２８】
すなわち、一般にキャンバス張りは、キャンバスの縦横にある程度の伸びとそれに伴う張力が保たれるように鋲止して成される。これがいわゆる「張り」である。二つ折りにした場合は明らかに図３における横方向の張りが開放される。キャンバスの上縁部及び下縁部では、枠材３０，３０ａ、３１，３１ａに打たれた鋲群６１に拘束され、鋲留めを保留した自由区間だけが開放されるから、外力の開放により収縮はするものの、その収縮量は少ない。然るにキャンバスの中段部では、前記鋲打ちによる影響が少なく、キャンバスの横幅全長に亘って張りを失うので、二つ折りに伴う収縮量は、前記パスの短縮量を凌駕するにいたる。従ってこの領域に連結部を設けた場合は、前記のパスの短縮による影響は受けないことになる。上下の連結部２０の配置が木枠の上下端部を避け、若干中段寄りに移動した位置にあるのは、上記の理由による収縮量の増大を見込んでいるからである。  
【００２９】
図７は、二つ折り木枠が曲げに至る途中の段階の各部の様子を示したものである。本実施例においては、二つ折りの完成時のみならず、途中段階においても、板ばねは、略部分木枠１０及び１０ａのキャンバス面に接する円弧状を成し、部分木枠に沿う直線部から、板ばねに移る境界付近にあっては、パスがなだらかな線で結ばれる。換言すれば、２つの部分木枠１０．１０ａと連結部２０の相対的な姿勢と位置関係が、自由区間にあるキャンバスにとって好適な姿に、板ばねによって自動的に拘束されることを意味する。キャンバスの絵肌を傷める危険から守る、好ましい最良の運動軌跡がここに実現される。もし板ばねの存在がなかった場合に起こる虞のある、好ましくない姿勢と位置関係の一例を参考として図８に示す。この場合、キャンバスが不規則に波うち、急な折れ曲がりや皺Ａが生成されることが予想される。   
【００３０】
さてここで、二つ折りに付随する周辺の作業について述べる。キャンバスの縁は、通常は全長に亘って直角に後ろ側に倒して、そこに鋲止め６０ないし６１がなされる。しかしこのままでは折り曲げを受ける自由区間の縁に無理な張力がかかり、折りまげが困難である。その現象を避けるために本実施例では、自由区間付近の縁の部分６４を倒さずに、従って鋲止め６１の一部を保留した状態にして、折り曲げの作業に入ることが推奨される。図９はその状態を示したものである。この処置はあくまでも二つ折りに際しての臨時的な処置であり、最終的に開いた状態に復元したあとには、固定具４２を再び適用すると同時に中央部付近の保留された鋲止めを完成させてよい。  
【００３１】
さて固定具４２はキャンバスを開いた状態に復元したとき、その状態を維持し、張りを復活させるために再び必要とされる。この二つ折り木枠は主に大型の作品について、様々な状況下で使用される。絵画の制作途中においてアトリエと写生地の間を移送するとき、あるいは完成品として、展覧会場や譲渡先に移送するときなどである。本実施例では、固定具４２は作品ごとに必要とされるが、固定具は構造単純で安価なものであるから、費用的には問題にならない。  
【００３２】
いっぽう連結部２０部は単に二つ折りのために必要とし、例えば制作途中の作品の移送時にのみ必要とされる。作品が完成し、再移送の予定がなくなった後では、取り外して別の作品に転用することが可能であるから、この意味で極めて経済的である。  
【００３３】
また本実施例による連結部は、取り扱いが簡単であるから、一般の絵画愛好家に広く利用されることが期待される。また安全で、絵を傷つける虞がなく、操作に特別な道具は不要であり、さらには連結部の取付け位置を適切にすることにより、大小さまざまな作品サイズにも対応できるメリットがある。   
【００３４】
なお連結部には前記曲げ方向以外にも様々な外力が加わる。とりわけ二つ折木枠1が開いた状態において、ときに矩形の正面形状を「平行四辺形に歪ませる方向」の外力が加わることがある。連結部の板ばね２５の横幅Ｃが過小であれば、この方向の外力で容易に座屈し、その付近のキャンバスに斜め方向の皺が生じるので問題である。板ばねに幅Ｃはこうした外力に耐えうる十分な広さに設定される。  
【００３５】
また本実施例では、主たる構成要素の一つを「板ばね」としたが、この構成要素は狭い意味の板ばねに限定されるものではなく、その断面形状においてほぼ円弧状に湾曲する弾性体であれば何でも良い。例えばバネ鋼線で代用したとしても、略同様の機能を実現できる。しかし単なるばね鋼線は、前述「平行四辺形に歪ませる方向」の外力に対しては耐える力が比較的弱くなるのは避けられない。  
【００３６】
本実施例では、固定具４２、取付部材２２及び板ばね２５は、主に金属材料で作られることを想定しているが、本発明の技術的範囲は、金属に限定するものではなく、プラスチックその他適切な材料に置き換えることも可能である。  
【００３７】
また本実施例では、連結部を２個使用しているが、比較的小型の二つ折り木枠については、中央部に１個の連結部を設置するだけでも同じ機能を達成する可能性がある。また場合によっては、３個以上の連結部を同時に使用することもあり得るが、いずれにしても、本発明は使用する連結部の個数を特定するものではない。   
【００３８】
以上、実施例を用いて本発明を説明したが、本発明の技術的範囲は上記実施例に記載の範囲には限定されない。上記実施例に、多様な変更又は改良を加えることができる。そのような変更又は改良を加えた形態も、本発明の技術的範囲に含まれ得ることが、特許請求の範囲の記載から明らかである。また本発明は、油彩画のキャンバス限らず、日本画、看板、展示パネル等、キャンバス張り形式のあらゆる類似パネルに対して、二つ折りにするあらゆる用途に活用でき、それら全てが本発明の技術的範囲に含まれ得ることも、特許請求の範囲の記載から明らかである。
【図面の簡単な説明】
【００３９】
【図１】従来技術による二つ折り木枠の一例を示す。
【図２】実施例に係る二つ折り木枠１の正面図である。
【図３】二つ折り木枠１の水平断面図である。
【図４】二つ折り木枠１の連結部付近の断面拡大図である。
【図５】キャンバスを張った二つ折り木枠１を二つ折りにした図である。
【図６】キャンバス１００の湾曲状態を示す断面図である。
【図７】二つ折り状態に至る途中の状態を示す図である。
【図８】木枠の好ましくない姿勢と位置関係の例を示す。
【図９】自由区間の鋲止めを保留する理由の説明図である。
【符号の説明】
【００４０】
１      二つ折り木枠、１０    部分木枠左、１０ａ  部分木枠右２０    連結部、２２、２２ａ  取付け部材、２５    板ばね３０．３０ａ  水平木枠、３１，３１ａ  水平木枠３３，３３ａ  垂直木枠、３４，３４ａ  中間木枠４２    固定具、６０    鋲止め、６１    鋲止め７０    固定金具，７１  取り付け孔，７２  取り付け孔、７３  蝶番  １００  キャンバス    
【図１】
2007216597.tif 000003
【図２】
2007216597.tif 000004
【図３】
2007216597.tif 000005
【図４】
2007216597.tif 000006
【図５】
2007216597.tif 000007
【図６】
2007216597.tif 000008
【図７】
2007216597.tif 000009
【図８】
2007216597.tif 000010
【図９】
2007216597.tif 000011